(57)【要約】【課題】大型基板や高精細パネルのＴＦＴアレイ検査において、データ処理に用いるメモリ容量が不足することによる支障を防ぐ。【解決手段】ＴＦＴアレイ検査装置は、パネルのＴＦＴアレイに検査信号を印加して、パネル上に所定パターンの電位分布を形成する検査信号印加手段と、二次電子の検出信号を用いてパネル欠陥を検出する信号処理手段とを備える。信号処理手段は、二次電子の検出信号の検出強度から得られる検出データを各ピクセルに対向付ける割り付け処理部と、各ピクセルに対応付けられた検出データを正規化して信号強度を算出する正規化処理部と、正規化処理部で得られる各ピクセルの信号強度から得られる一パネルの信号強度の配列に基づいて、一パネル内のピクセル欠陥を検出する欠陥検出部とを備える。割り付け処理部と正規化処理部は、一基板の全領域を複数のデータ処理領域に分け、各データ処理領域内の検出データを処理単位として処理を行う。【選択図】図１
2011021927.tif 000002
【特許請求の範囲】
【請求項１】
基板上に形成されるパネル上を電子線で走査し、当該電子線走査により得られる二次電子を検出することによりパネルのＴＦＴアレイを検査するＴＦＴアレイ検査装置において、
前記パネルのＴＦＴアレイに検査信号を印加して、パネル上に所定パターンの電位分布を形成する検査信号印加手段と、
前記二次電子の検出信号を用いてパネル欠陥を検出する信号処理手段とを備え、
前記信号処理手段は、
前記二次電子の検出信号の検出強度から得られる検出データを各ピクセルに対向付ける割り付け処理部と、
前記割り付け処理によって各ピクセルに対応付けられた検出データを正規化して各ピクセルを代表する信号強度を算出する正規化処理部と、
前記正規化処理部で得られる各ピクセルの信号強度から得られる一パネルの信号強度の配列に基づいて、一パネル内のピクセル欠陥を検出する欠陥検出部とを備え、
前記割り付け処理部および前記正規化処理部は、一基板の全領域を複数のデータ処理領域に分け、各データ処理領域内の検出データを処理単位として処理を行い、
前記欠陥検出部は、前記各データ処理領域で算出した各ピクセルの信号強度を合成して一パネルの信号強度の配列を形成し、一パネルのピクセル欠陥を検出することを特徴とする、ＴＦＴアレイ検査装置。
【請求項２】
前記各データ処理領域は、複数の電子銃の電子線がそれぞれ走査する複数の走査範囲を含み、
前記走査範囲は、各電子線が一回走査又は連続して複数回走査する走査領域であり、
前記データ処理領域内の検出データは、各走査範囲を各電子線がそれぞれ走査して得られる検出データから成ることを特徴とする、請求項１に記載のＴＦＴアレイ検査装置。
【請求項３】
前記複数の電子銃の配列方向および各電子銃による電子線の走査方向をパネルの行方向とし、
前記データ処理領域は、一基板の全領域をパネルの行方向と直交する列方向に分けた複数行の領域とし、
前記各行のデータ処理領域は、各電子銃の電子線が走査する走査領域を行方向に複数個配列して構成され、
前記データ処理領域内の検出データは、前記行方向に配列される各走査範囲を各電子線がそれぞれ走査して得られる検出データから成ることを特徴とする、請求項２に記載のＴＦＴアレイ検査装置。
【請求項４】
前記複数の電子銃の配列方向および各電子銃による電子線の走査方向をパネルの行方向とし、
前記データ処理領域は、各電子銃が走査する走査領域をパネルの行方向と直交する列方向に分けた複数パスの領域とし、
前記データ処理領域内の検出データは、前記少なくとも１つのパスを各電子線が走査して得られる検出データから成ることを特徴とする、請求項２に記載のＴＦＴアレイ検査装置。
【請求項５】
電子線を基板に形成されるパネル上を走査して得られる二次電子を検出することによりパネルのＴＦＴアレイを検査するＴＦＴアレイ検査方法において、
前記パネルのＴＦＴアレイに検査信号を印加して、パネル上に所定パターンの電位分布を形成する検査信号印加工程と、
前記二次電子の検出強度を用いてパネル欠陥を検出する信号処理工程とを備え、
前記信号処理工程は、
二次電子を検出して得られる検出データを各ピクセルに対向付ける割り付け処理と、前記割り付け処理によって各ピクセルに対応付けられた検出データを正規化して各ピクセルを代表する信号強度を算出する正規化処理と、
前記正規化処理部で得られる各ピクセルの信号強度から得られる一パネル分の信号強度の配列に基づいて、一パネル内のピクセル欠陥を検出する欠陥検出処理とを備え、
前記割り付け処理および前記正規化処理は、
一基板の全領域を複数のデータ処理領域に分け、各データ処理領域で得られる検出データを処理単位として処理を行い、
前記欠陥検出処理は、
前記各データ処理領域で算出した各ピクセルの信号強度を組み合わせて一パネルの全領域の信号強度の配列を形成し、一パネルのピクセル欠陥を検出することを特徴とする、ＴＦＴアレイ検査方法。
【請求項６】
前記データ処理領域は、複数の電子銃の電子線がそれぞれ走査する複数の走査範囲から成り、
前記走査範囲は、各電子線が一回走査又は連続して複数回走査する範囲であり、
前記データ処理領域内の検出データは、各走査範囲を各電子線がそれぞれ走査して得られる検出データから成ることを特徴とする、請求項５に記載のＴＦＴアレイ検査方法。
【請求項７】
前記複数の電子銃の配列方向および各電子銃による電子線の走査方向をパネルの行方向とし、
前記データ処理領域は、一基板の全領域をパネルの行方向と直交する列方向に分けた複数行の領域とし、
前記各行のデータ処理領域は、各電子銃の電子線が走査する走査領域を行方向に複数個配列して構成され、
前記データ処理領域内の検出データは、前記行方向に配列される各走査範囲を各電子線がそれぞれ走査して得られる検出データから成ることを特徴とする、請求項６に記載のＴＦＴアレイ検査方法。
【請求項８】
前記複数の電子銃の配列方向および各電子銃による電子線の走査方向をパネルの行方向とし、
前記データ処理領域は、各電子銃が走査する走査領域をパネルの行方向と直交する列方向に分けた複数パスの領域とし、
前記データ処理領域内の検出データは、前記少なくとも１つのパスを各電子線が走査して得られる検出データから成ることを特徴とする、請求項６に記載のＴＦＴアレイ検査方法。
【発明の詳細な説明】
【技術分野】
【０００１】
本発明はＴＦＴアレイ基板の検査に使用するＴＦＴアレイ検査装置およびＴＦＴアレイ検査方法に関し、特に欠陥検出を行うために、二次電子の検出信号からパネル全体の検出データを取得する信号処理に関する。
【背景技術】
【０００２】
ＴＦＴアレイ基板の電気的検査において、非接触で試料の電位を測定する技術として電位コントラストを用いた検査方法が知られている。この電位コントラストによれば、試料に電子線を照射することにより試料表面から放出される２次電子のエネルギーを測定することにより試料の電位を測定することができる。
【０００３】
このＴＦＴアレイ検査装置では、液晶ディスプレイや有機ＥＬディスプレイなどに使われるＴＦＴアレイ基板に所定パターンの検査信号を印加して所定に電位状態とし、この基板に電子線を照射してＴＦＴ基板から発生する二次電子を検出し、二次電子から得られる信号により基板のパネルに所定の電圧が印加されているかを測定し、その測定結果に基づいて短絡等のパネルの欠陥の判別を行う。パネルは、複数のピクセルが配列されて構成され、各ピクセルには当該ピクセルを選択的に駆動するためのアレイが形成されている。
【０００４】
パネル欠陥の検出において、欠陥種に応じた所定のパターンの検査信号を印加し、印加によって得られる電位状態が、検査信号のパターンに応じた電位状態と比較することによって欠陥検出を行う。このようなＴＦＴアレイ検査装置として、例えば、特許文献１が知られている。
【０００５】
図１１は、従来のＴＦＴアレイ検査のデータ処理の概略を説明するための図である。ＴＦＴアレイ検査は、基板上のパネルに所定パラメータに検査信号を印加した状態において、電子銃から照射される電子線を基板のパネル上で走査し、この電子線走査によってパネルから放出される二次電子の信号強度を検出し、この信号強度に基づいてパネルの欠陥検出を行う。
【０００６】
パネルの欠陥検出は、図１１において、電子線走査で放出される二次電子を検出して得られる二次電子の検出データの取得処理、検出データをパネルの各ピクセル１１に対応付ける割り付け処理、各ピクセル１１に対応付けられた複数の検出データに基づいて、各ピクセル１１を代表する正規化データを生成する正規化処理を有している。
【０００７】
さらに、正規化処理で得られた各ピクセル１１の正規化データは電子銃を単位として分割して求められているため、合成処理によって分割された正規化データを合成して検出データを生成する。欠陥検出処理は、合成して得られた検出データに基づいて欠陥を検出する。
【先行技術文献】
【特許文献】
【０００８】
【特許文献１】特開２００４−２２８４３１号公報
【発明の概要】
【発明が解決しようとする課題】
【０００９】
通常、基板上には複数のパネルが形成されており、ＴＦＴアレイ検査において上記した検出データの取得処理および欠陥検出の検出処理を行う際には、基板を単位として行っている。
【００１０】
ＴＦＴアレイ検査に必要となるデータ点数は基板種によって異なる。基板の大型化や、高精細化に伴うピクセル数の増加等によって、ＴＦＴアレイ検査に要するデータ点数は増加する傾向にある。そのため、必要とするデータ点数が増加し、ＴＦＴアレイ検査装置が備えるメモリ容量を超える場合には、データ処理に支障が生じるという問題が発生する。
【００１１】
そこで、本発明は上記課題を解決して、大型基板や高精細パネルのＴＦＴアレイ検査において、処理を要するデータ点数が増加した場合であっても、データ処理に用いるメモリ容量が不足することによって、データ処理に支障が発生するという事態を防ぐことを目的とする。
【課題を解決するための手段】
【００１２】
本発明のＴＦＴアレイ検査装置は、基板上に形成されるパネル上を電子線で走査し、当該電子線走査により得られる二次電子を検出することによりパネルのＴＦＴアレイを検査するＴＦＴアレイ検査装置において、パネルのＴＦＴアレイに検査信号を印加して、パネル上に所定パターンの電位分布を形成する検査信号印加手段と、二次電子の検出信号を用いてパネル欠陥を検出する信号処理手段とを備える。
【００１３】
信号処理手段は、二次電子の検出信号の検出強度から得られる検出データを各ピクセルに対向付ける割り付け処理部と、割り付け処理によって各ピクセルに対応付けられた検出データを正規化して各ピクセルを代表する信号強度を算出する正規化処理部と、正規化処理部で得られる各ピクセルの信号強度から得られる一パネルの信号強度の配列に基づいて、一パネル内のピクセル欠陥を検出する欠陥検出部とを備える。
【００１４】
本発明の割り付け処理部と正規化処理部は、一基板の全領域を複数のデータ処理領域に分け、各データ処理領域内の検出データを処理単位として処理を行い、欠陥検出部は、各データ処理領域で算出した各ピクセルの信号強度を合成して一パネルの全領域の信号強度の配列を形成し、一パネルのピクセル欠陥を検出する。
【００１５】
本願発明は、基板が大型化したり、パネルが高精細化することによって、一パネルのＴＦＴアレイ検査に処理を要するデータ点数が増加した場合であっても、割り付け処理部と正規化処理部が行う処理において、一基板の全領域を複数のデータ処理領域に分け、各データ処理領域内の検出データを処理単位として行うことによって、データ処理を行うデータ量を減少させ、データ容量が不足することによるデータ処理の支障を回避する。
【００１６】
本願発明は、データ処理の処理単位を、基板単位に代えて、一基板の全領域を複数のデータ処理領域に分け、各データ処理領域を単位としてピクセルの信号強度を求め、得られた各データ処理領域の信号強度を合成することによって、一パネルの全領域の信号強度の配列を形成する。
【００１７】
一基板の全領域を複数のデータ処理領域に分ける際、分割するデータ処理領域の個数は、一パネルのデータ点数、ＴＦＴアレイ検査装置がデータ処理用に備えるデータ容量等に基づいて定めることができる。
【００１８】
また、一基板を分割してなるデータ処理領域は、一基板上のパネルの配置にかかわらず定めることができ、データ処理領域内にパネルを含むように設定する他、パネルを跨って設定してもよい。
【００１９】
データ処理領域は、複数の電子銃の電子線がそれぞれ走査する複数の走査範囲から成る。また、走査範囲は、各電子線が一回走査又は連続して複数回走査する範囲である。データ処理領域内の検出データは、各走査範囲を各電子線がそれぞれ走査して得られる検出データから成る。
【００２０】
データ処理領域の第１の形態は、複数の電子銃の配列方向および各電子銃による電子線の走査方向をパネルの行方向とし、一基板の全領域をパネルの行方向に分けた複数行の領域とする。各行のデータ処理領域は、各電子銃の電子線が走査する走査領域を行方向に複数個配列して構成される。データ処理領域内の検出データは、行方向に配列される各走査範囲を各電子線がそれぞれ走査して得られる検出データから成る。
【００２１】
第１の形態において、一基板を行方向に分ける各行のデータ量は、例えば、ＴＦＴアレイ検査装置がデータ処理用に備えるデータ容量等に応じて任意に定めることができる。
【００２２】
データ処理領域の第２の形態は、複数の電子銃の配列方向および各電子銃による電子線の走査方向をパネルの行方向とし、データ処理領域は、各電子銃が走査する走査領域をパネルの行方向と直交する列方向に分けた複数パスの領域とする。データ処理領域内の検出データは、少なくとも１つのパスを各電子線が走査して得られる検出データから成る。
【００２３】
本願発明のＴＦＴアレイ検査方法は、電子線を基板に形成されるパネル上を走査して得られる二次電子を検出することによりパネルのＴＦＴアレイを検査するＴＦＴアレイ検査方法であり、パネルのＴＦＴアレイに検査信号を印加して、パネル上に所定パターンの電位分布を形成する検査信号印加工程と、二次電子の検出強度を用いてパネル欠陥を検出する信号処理工程とを備える。
【００２４】
信号処理工程は、二次電子を検出して得られる検出データを各ピクセルに対向付ける割り付け処理と、割り付け処理によって各ピクセルに対応付けられた検出データを正規化して各ピクセルを代表する信号強度を算出する正規化処理と、正規化処理部で得られる各ピクセルの信号強度から得られる一パネル分の信号強度の配列に基づいて、一パネル内のピクセル欠陥を検出する欠陥検出処理とを備える。
【００２５】
割り付け処理および正規化処理は、一基板の全領域を複数のデータ処理領域に分け、各データ処理領域で得られる検出データを処理単位として処理を行う。
【００２６】
一方、欠陥検出処理は、各データ処理領域で算出した各ピクセルの信号強度を組み合わせて一パネルの信号強度の配列を形成し、一パネルのピクセル欠陥を検出する。
【発明の効果】
【００２７】
本発明によれば、大型基板や高精細パネルのＴＦＴアレイ検査において、データ処理に用いるメモリ容量が不足することによる支障を防ぐことができる。
【図面の簡単な説明】
【００２８】
【図１】本発明のＴＦＴアレイ検査装置の構成を説明するための概略図である。
【図２】本発明のＴＦＴアレイ検査のデータ処理の概略を説明するための図である。
【図３】本発明のＴＦＴアレイ検査のデータ処理の概略を説明するための図である。
【図４】本発明のパネル（基板）の全領域と複数のデータ処理領域との関係を説明するための図である。
【図５】本発明のデータ処理領域を処理単位とする処理の第１の形態を説明するための図である。
【図６】本発明のデータ処理領域を処理単位とする処理の第１の形態を説明するためのフローチャートある。
【図７】本発明のデータ処理領域を処理単位とする処理の第２の形態を説明するための図である。
【図８】本発明のデータ処理領域を処理単位とする処理の第２の形態を説明するためのフローチャートある。
【図９】本発明のデータ処理領域を処理単位とする処理の第２の形態を説明するための図である。
【図１０】本発明のデータ処理領域を処理単位とする処理の第２の形態を説明するためのフローチャートある。
【図１１】従来のＴＦＴアレイ検査のデータ処理の概略を説明するための図である。
【発明を実施するための形態】
【００２９】
以下、本発明の実施の形態について、図を参照しながら詳細に説明する。
【００３０】
図１は本発明のＴＦＴアレイ検査装置の構成を説明するための概略図である。
図１において、ＴＦＴアレイ検査装置１は、電子銃６から電子線を基板１０上のパネル（図示していない）に照射し、パネルから放出された二次電子を二次電子検出器７で検出することによってＴＦＴアレイの欠陥検出を行う検査装置の一構成例を示している。
【００３１】
基板１０はＸＹステージ５上に載置され、Ｘ方向およびＹ方向に移動自在としている。走査制御回路３は、このＸＹステージ５のＸ／Ｙ方向の移動と、電子銃６から照射される電子線の偏向を制御することによって電子線を基板上で走査させ、パネルに電子線を照射する。なお、走査制御回路３は、ＴＦＴアレイ検査装置１の装置全体を制御する検査制御回路２によって制御される。
【００３２】
ＴＦＴアレイの欠陥を検出する際には、パネルのＴＦＴアレイに検査信号を印加してパネル上に所定パターンの電位状態を形成し、この電位状態を電子線の走査によって検出する。検査信号印加回路４は、検査信号をＴＦＴアレイに印加する。検査信号は、ＴＦＴアレイの検出する欠陥種に応じた信号パターンを有している。
【００３３】
本発明のＴＦＴアレイ検査装置１は信号処理手段８を備え、二次電子検出器７で検出した検出信号を入力して、ＴＦＴアレイの欠陥を検出する信号処理を行う他、検査信号の印加が正常に行われているか否かの点灯状態および不点灯状態を判定する信号処理を行う。
【００３４】
図１に示す信号処理手段８は一回路構成例を示している。信号処理手段８は、二次電子検出器７で検出した検出信号を入力して検出データを形成する検出部８ａ、検出データをパネルのピクセルに対応付けて割り付ける割り付け処理部８ｂ、各ピクセルに割り付けられた複数の検出データを正規化することによって、そのピクセルを代表する信号強度を生成する正規化処理部８ｃを備える。
【００３５】
信号処理手段８は、ＴＦＴアレイの欠陥を検出する構成として、正規化した信号強度を正常なピクセルで得られるしきい値と比較し、比較結果に基づいて欠陥ピクセルを検出する欠陥検出部８ｄを備える。欠陥検出部８ｄの検出結果は、出力部８ｅから出力される。
【００３６】
なお、正規化処理部８ｃは、検出部８ａで検出した検出データをパネルの各ピクセルに割り付けて、各ピクセルを代表する検出データを求め、この各ピクセルに割り付けられた検出データから正規化データを形成する他、検出部８ａで検出した検出データをそのまま使用して正規化データを形成してもよい。
【００３７】
また、信号処理手段８において欠陥ピクセルを特定する場合には、割り付け処理部８ｃによって各ピクセルに割り付けられた検出データを正規化処理部８ｃで正規化し、欠陥検出部８ｅにおいて検出データをしきい値と比較し、比較結果に基づいて欠陥ピクセルを抽出する。
【００３８】
なお、信号処理手段８の各構成８ａ〜８ｅは、本発明のＴＦＴアレイ検査による機能を説明するために示したものであり、必ずしもこれらの機能を実現する個別の構成部を有するものではなく、ＣＰＵやメモリ等で構成される回路と各機能を実行させるソフトによって構成してもよい。
【００３９】
次に、ＴＦＴアレイ検査のデータ処理の概略を、図２，３を用いて説明する。ＴＦＴアレイ検査は、基板上のパネルに所定パラメータに検査信号を印加した状態において、電子銃から照射される電子線を基板のパネル上で走査し、この電子線走査によってパネルから放出される二次電子の信号強度を検出し、この信号強度に基づいてパネルの欠陥検出を行う。
【００４０】
パネルの欠陥検出は、図２において、電子線走査で放出される二次電子を検出して得られる二次電子の検出データの取得処理、検出データをパネルの各ピクセル１１に対応付ける割り付け処理、各ピクセル１１に対応付けられた複数の検出データに基づいて、各ピクセル１１を代表する正規化データを生成する正規化処理、および、走査範囲で取得し生成した正規化データを合成して、一パネルの検出データを生成する合成処理の各処理を有している。
【００４１】
正規化処理で得られた各ピクセル１１の正規化データは電子銃を単位として分割して求められているため、合成処理によって分割されている正規化データを合成してパネルの検出データを生成する。欠陥検出処理は、合成して得られた検出データに基づいて一パネルについて欠陥を検出する。
【００４２】
図２、３は、３つの電子銃６ａ，６ｂ，６ｃを基板１０の行方向に沿って所定の間隔を開けて配置し、各電子銃から照射される電子線を基板１０上を走査すると共に、基板を列方向に移動することによって、基板１０を短冊状に区分してなる複数の検出データを取得する例を示している。図では基板１０上に２つのパネル２０ａ，２０ｂが形成された例を示している。
【００４３】
本発明のＴＦＴアレイ検査は、一基板の全領域を複数のデータ処理領域に分け、各データ処理領域内の検出データを処理単位として処理を行う。ここで、データ処理領域を、パネルを行方向に分割した領域とする例を示している。図２，３では２つのパネルを含む一基板１０を、行方向に分割してデータ処理領域（１５Ａ，１５Ｂ）を構成する例を示している。
【００４４】
図２は行方向で第１番目にあるデータ処理領域１５Ａについて、検出データの取得、検出データの割り付け処理、割り付けた検出データを正規化する正規化処理の各処理を行う例を示し、図３は行方向で第２番目にあるデータ処理領域１５Ｂについて、検出データの取得、検出データの割り付け処理、割り付けた検出データを正規化する正規化処理の各処理を行う例を示している。
【００４５】
また、図２，３では、各データ処理領域１５は、電子銃６ａ，６ｂ，６ｃの走査範囲１４Aa，１４Ab，１４Acの３つの走査範囲から構成される例を示し、走査範囲１４Aa，１４Ab，１４Acの各検出データは、電子銃６ａ，６ｂ，６ｃから照射される電子線で各走査範囲を走査し、各走査範囲から放出される二次電子を検出することによって取得する。
【００４６】
割り付け処理は、各走査範囲１４Aa，１４Ab，１４Acで取得される検出データ１２を対応するピクセル１１に割り付ける。図２，３では、一つのピクセルに４点の検出データを対応づけて割り付ける例を示している。なお、一ピクセルに割り付ける検出データ数は、検出分解能によって定まる。
【００４７】
正規化処理は、各ピクセル１１に割り付けた複数の検出データ１２に基づいて、その各ピクセルを代表する検出データを生成する。複数の検出データから一つの正規化データを生成する正規化処理は、例えば、平均値処理や、メディアン値処理等の任意のデータ処理を適用することができる。
【００４８】
図２に示す第１番目のデータ処理領域１５Ａでは、合成処理において各走査範囲１４Aa，１４Ab，１４Acで得られた正規化データを合成して、データ処理領域１５Ａの各ピクセルの信号強度を求める。これによって、一基板の全領域を複数の部分に分けてなる一つのデータ処理領域において、各ピクセルの信号強度を求めることができる。
【００４９】
また、図３に示す第２番目のデータ処理領域１５Ｂでは、合成処理において各走査範囲１４Ba，１４Bb，１４Bcで得られた正規化データを合成して、データ処理領域１５Ｂの各ピクセルの信号強度を求める。これによって、一基板の全領域を複数の部分に分けて形成される一つのデータ処理領域において、データ処理領域内にあるパネル部分のピクセルの信号強度を求めることができる。
【００５０】
ここで、割り付け処理および正規化処理は、一つのデータ処理領域を単位として処理を行うため、取り扱うデータ量は、全ピクセルあるいは全基板を単位として処理を行う際のデータ量と比較して低減させることができる。
【００５１】
全基板あるいは全パネルをカバーする複数のデータ処理領域１５について、それぞれ各ピクセルの信号強度を求め、これらを合成することによって、全基板１０あるいは全パネル２０ａ，２０ｂの各ピクセルの信号強度を求めることができる。
【００５２】
データ処理領域が複数のパネルに跨って設定されている場合には、複数のデータ処理領域で得られた各パネル部分の信号強度を合成することによって、一つのパネルについて信号強度を求めることができる。
【００５３】
以下、図４〜図１０を用いて、基板あるいはパネルの全領域を複数のデータ処理領域に分け、各データ処理領域を処理単位として割り付け処理および正規化処理を行う態様について説明する。
【００５４】
図４はパネル（基板）の全領域と、全領域を分割して成る複数のデータ処理領域との関係を説明するための図であり、図５，６はデータ処理領域を処理単位とする処理の第１の形態を説明するための図およびフローチャートであり、図７，８はデータ処理領域を処理単位とする処理の第２の形態を説明するための図およびフローチャートであり、図９，１０はデータ処理領域を処理単位とする処理の第３の形態を説明するための図およびフローチャートである。
【００５５】
図４に示す例は、基板１０上にパネル２０ａ〜２０ｐが形成され、この基板１０を、パネル２０の行方向（図中の横方向）に沿って所定間隔を開けて配置した１０台の電子銃６ａ〜６ｊで走査する例を示している。各電子銃６ａ〜６ｊは、基板１０を列方向（図中の縦方向）に区分した複数の短冊状の走査領域をそれぞれ走査する。
【００５６】
本発明は、基板１０の全領域を、行方向（図中の横方向）の複数のデータ処理領域１５Ａ〜１５Ｄに分割し、このデータ処理領域１５Ａ〜１５Ｄを処理単位として検出データの取得、割り付け処理、および正規化処理を行う。
【００５７】
図４では、各データ処理領域１５Ａ〜１５Ｄ内に複数のパネルを含む例を示しているが、複数のデータ処理領域が一パネルを含むようにしてもよい。
【００５８】
［第１の形態］
第１の形態は、基板の全領域を行方向で分割して行方向の複数のデータ処理領域１５Ａ〜１５Ｄとし、このデータ処理領域１５を処理単位として検出データの取得、割り付け処理、および正規化処理を行う。この第１の形態では、各データ処理領域１５は、各電子銃が走査する複数の走査領域を含んでいる。
【００５９】
図５に示す例では、各データ処理領域１５Ａ〜１５Ｄにおいて、一つのデータ処理領域は１０個の走査範囲１４ａ〜１４ｊにより構成されている。各走査範囲１４ａ〜１４ｊは、各電子銃６ａ〜６ｊによって走査される。一走査動作によって、各電子銃６ａ〜６ｊは各走査範囲１４ａ〜１４ｊを走査する。この走査で得られる検出データは、一つのデータ処理領域１５の検出データを生成する。一つのデータ処理領域について走査動作が完了した後、走査範囲を列方向に移動させて、次のデータ処理領域において、同様の走査動作を行う。この動作を繰り返すことによって、データ処理領域１５Ａ〜１５Ｄの検出データを順に取得する。
【００６０】
図６のフローチャートにおいて、第１の形態によるデータ処理は、はじめに基板上において、検出データを取得するデータ処理領域１５を定める。図５では、データ処理領域１５Ａ〜１５Ｄの内から一つを選択し（S1）、選択したデータ処理領域１５内において、各走査範囲を電子線で走査し、パネルから放出される二次電子を検出して検出データを取得する（S2）。
【００６１】
割り付け処理によって、取得した検出データの信号強度をピクセルに割り付け（S3）、正規化処理によって、ピクセルに割り付けられた信号強度から各ピクセルを代表する信号強度を求め、求めた信号強度をそのピクセルの信号強度とする（S4）。
【００６２】
通常、基板の全領域を走査するには、電子線を走査方向（図では横方向）に走査させると共に、基板を走査方向と直交する方向（図では縦方向）に移動させる。したがって、縦方向の移動量を少なくするためには、データ処理領域１５Ａ〜１５Ｄを例えば上方から下方あるいは下方から上方に向かって順に選択することが適当である。
【００６３】
全領域に設定した複数のデータ処理領域１５Ａ〜１５Ｄから未選択のデータ処理領域を選択し、前記S1〜S4の処理を行う(S5)。
【００６４】
全領域に設定した全データ処理領域１５Ａ〜１５Ｄについて検出データの取得が完了した後、検出データから求めた正規化データを合成して、全領域の正規化データの配列を求める（S6）。求めた全領域の正規化データに基づいて、基準値との比較処理等の所定処理によってパネルの欠陥ピクセルを検出する（S7）。
【００６５】
［第２の形態］
第２の形態は、基板の全領域を列方向で分割してデータ処理領域を定める。この列方向に分割するデータ処理領域は、各電子銃６ａ〜６ｊが走査する走査領域に設定されるパスに基づいて定めることができる。
【００６６】
電子銃６による走査において、走査領域を走査方向と直交する方向（図中の縦方向）に沿って複数のパスに分け、各パスを単位として走査を行う。したがって、走査領域では、パスを単位として検出データが取得される。第２の形態は、このパスに基づいてデータ処理領域を定める。
【００６７】
第２の形態は、各電子銃が走査する走査領域の内の少なくとも一つのパスをデータ処理領域とすることによって、各電子銃が走査する走査領域についてデータを取得する場合と比較して、データ量を低減させることができる。例えば、一つの電子銃が走査する走査領域を４つのパスに分割し、１つのパスをデータ処理領域とする場合には、一データ処理領域に含まれるデータ点数は１／４とすることができる。
【００６８】
図７に示す例は、電子銃６ａ〜６ｊの走査領域に４パスを設定し、１パス分の走査範囲１４ａ〜１４ｊを一データ処理領域１５Ａとしている。
【００６９】
４パスの内で次のパスを走査範囲１４ａ〜１４ｊとすることでデータ処理領域１５Ｂを設定することができる。同様に、データ処理領域１５Ｃ，１５Ｄに付いてもパスを順に用いることで設定することができる。
【００７０】
一走査動作によって、各電子銃６ａ〜６ｊは１パス分の各走査範囲１４ａ〜１４ｊを走査し、この走査で得られる検出データは、一つのデータ処理領域１５の検出データとなる。走査範囲を行方向に移動させて次のパスについて同様の走査動作を行うことによって、次のデータ処理領域１５Ａ〜１５Ｄの検出データを順に取得する。
【００７１】
第２の形態によるデータ処理は、図８のフローチャートにおいて、はじめに基板のパネル上において、検出データを取得するデータ処理領域１５を定める。図７では、データ処理領域として複数のパス分の内から一つのパスを選択し（S11）、選択したパスの走査範囲について電子線を走査し、パネルから放出される二次電子を検出して検出データを取得する。
【００７２】
通常、走査領域を複数のパスに分けて行う走査では、一パスについて電子線を走査方向（図では横方向）に走査させると共に、基板を走査方向と直交する方向（図では縦方向）に移動させる動作を全パスについて順に繰り返す。したがって、データ処理領域の選択は、パス順に従って定めることが適当である（S12）。
【００７３】
割り付け処理によって、取得した検出データの信号強度をピクセルに割り付け（S13）、正規化処理によって、ピクセルに割り付けられた信号強度から各ピクセルを代表する信号強度を求め、求めた信号強度をそのピクセルの信号強度とする（S14）。前記S11〜S14の処理を全パスについて行う(S15)。
【００７４】
全パスに設定した全てのデータ処理領域について検出データの取得が完了した後、検出データから求めた正規化データを合成して、全領域の正規化データの配列を求める（S16）。求めた全領域の正規化データに基づいて、基準値との比較処理等の所定処理によってパネルの欠陥ピクセルを検出する（S17）。
【００７５】
なお、上記例では、一パスを一データ処理領域に対応付けているが、複数のパスを一データ処理領域に対応付けてもよい。
【００７６】
［第３の形態］
第３の形態は、第１の形態と第２の形態とを組み合わせた形態であり、基板の全領域を行方向と列方向で分割してデータ処理領域を定める。
【００７７】
基板の全領域を行方向で分割し、さらに列方向に分割する。図９では、行方向の分割はＡ行〜Ｄ行で示し、列方向の分割は各電子銃６ａ〜６ｊが走査する走査領域１４ａ〜１４ｊに基づいて設定している。この行方向および列方向の分割によって、１６個のデータ処理領域１５が設定される。
【００７８】
電子銃６による走査において、走査領域を走査方向と直交する方向（図中の縦方向）に沿って複数のパスに分け、行方向に定めた範囲（図中のＡ行〜Ｄ行）の各パスについて走査する。
【００７９】
第３の形態は、各電子銃が走査する走査領域の内の少なくとも一つのパスと、行方向に分割した範囲との組み合わせでデータ処理領域とすることによって、各電子銃が走査する全走査領域についてデータを取得する場合と比較して、データ量を低減させることができる。例えば、一つの電子銃が走査する走査領域を４つのパスに分割してなる１つのパスと、行方向の４分割とを組み合わせてなるデータ処理領域では、一データ処理領域に含まれるデータ点数は１／１６とすることができる。
【００８０】
図９に示す例は、１６個のデータ処理領域の内の一つのデータ処理領域１５Ａを示している。一データ処理領域１５Ａは１０個の走査範囲１４ａ〜１４ｊにより構成されている。各走査範囲１４ａ〜１４ｊは、各電子銃６ａ〜６ｊによって走査される。一走査動作によって、各電子銃６ａ〜６ｊは各走査範囲１４ａ〜１４ｊを走査する。この走査で得られる検出データは、一つのデータ処理領域１５の検出データを生成する。一つのデータ処理領域について走査動作が完了した後、走査範囲を列方向に移動させて、次のデータ処理領域において、同様の走査動作を行う。この動作を繰り返すことによって、４パス中の１番目のパスについて、データ処理領域１５Ａ〜１５Ｄの検出データを取得する。
【００８１】
一パス分について４個のデータ処理領域１５Ａ〜１５Ｄの検出データを処理した後、次のパスについて同様の動作を行うことによって、次のデータ処理領域１５Ｅ〜１５Ｈの検出データを取得する。最後のパスを走査することによってデータ処理領域１５Ｍ〜１５Ｐの検出データを取得する。
【００８２】
第３の形態によるデータ処理は、図１０のフローチャートにおいて、はじめに基板のパネル上において、検出データを取得するデータ処理領域１５を定める。図９では、データ処理領域として、行とパスを選択し（S21,S22）、選択したデータ処理領域の走査範囲について電子線を走査し、パネルから放出される二次電子を検出して検出データを取得する（S23）。
【００８３】
割り付け処理によって、取得した検出データの信号強度をピクセルに割り付け（S24）、正規化処理によって、ピクセルに割り付けられた信号強度から各ピクセルを代表する信号強度を求め、求めた信号強度をそのピクセルの信号強度とする（S25）。
【００８４】
前記S21〜S25の処理を全パスおよび全行について行う(S26,S27)。
【００８５】
全てのデータ処理領域について検出データの取得が完了した後、検出データから求めた正規化データを合成して、全領域の正規化データの配列を求める（S28）。求めた全領域の正規化データに基づいて、基準値との比較処理等の所定処理によってパネルの欠陥ピクセルを検出する（S29）。
【産業上の利用可能性】
【００８６】
本発明は、基板の欠陥の有無検出、欠陥種の検出の他、検出した欠陥を修復するリペア装置に適用することができる。
【符号の説明】
【００８７】
１  アレイ検査装置
２  検査制御回路
３  走査制御回路
４  検査信号印加回路
５  ステージ
６，６ａ-６ｊ  電子銃
７  二次電子検出器
８  信号処理手段
８ａ  検出部
８ｂ  割り付け処理部
８ｃ  正規化処理部
８ｄ  欠陥検出部
８ｅ  出力部
１０  基板
１１  ピクセル
１２  検出データ
１４Aa，１４Ab，１４Ac，１４Ba，１４Bb，１４Bc  走査範囲
１４ａ-１４ｊ  走査範囲
１５，１５Ａ-１５Ｐ  データ処理領域
２０ａ-２０ｐ  パネル
【図６】
2011021927.tif 000003
【図８】
2011021927.tif 000004
【図１０】
2011021927.tif 000005
【図１】
2011021927.tif 000006
【図２】
2011021927.tif 000007
【図３】
2011021927.tif 000008
【図４】
2011021927.tif 000009
【図５】
2011021927.tif 000010
【図７】
2011021927.tif 000011
【図９】
2011021927.tif 000012
【図１１】
2011021927.tif 000013